(57)【要約】【課題】取り扱いが容易で、しかも、大きく離間した測定対象体の間の電圧を測定可能とする。【解決手段】被覆電線１００ａ，１００ｂ（一対の測定対象体）の間の線間電圧Ｖｄ（測定対象電圧）を測定可能に構成され、被覆電線１００ａと基準電位との間の第１の電圧を被覆電線１００ａに非接触で測定する第１の測定ユニット２ａ、および被覆電線１００ｂと基準電位との間の第２の電圧を被覆電線１００ｂに非接触で測定する第２の測定ユニット２ｂを備え、測定ユニット２ａは、測定した第１の電圧の電圧データＤｖａを測定ユニット２ｂに送信する通信部７ａ（第１の無線通信部）を備え、測定ユニット２ｂは、電圧データＤｖａを受信する通信部７ｂ（第２の無線通信部）と、第２の電圧、および電圧データＤｖａに基づいて特定した第１の電圧の差分電圧を線間電圧Ｖｄとして演算する制御部１０ｂ（演算部）とを備えている。【選択図】図１
2010175412.tif 000002
【特許請求の範囲】
【請求項１】
一対の測定対象体の間の測定対象電圧を測定する電圧測定装置であって、
前記各測定対象体の一方と基準電位との間の第１の電圧を当該一方の測定対象体に対して非接触で測定する第１の測定ユニット、および前記各測定対象体の他方と基準電位との間の第２の電圧を当該他方の測定対象体に対して非接触で測定する第２の測定ユニットを備え、
前記第１の測定ユニットは、測定した前記第１の電圧の電圧データを前記第２の測定ユニットに送信する第１の無線通信部を備え、
前記第２の測定ユニットは、前記電圧データを受信する第２の無線通信部と、前記第２の電圧、および前記電圧データに基づいて特定した前記第１の電圧の差分電圧を前記測定対象電圧として演算する演算部とを備えている電圧測定装置。
【請求項２】
前記第１の測定ユニットを複数備え、
前記演算部は、前記第２の電圧と、前記各第１の測定ユニットによって測定されて当該各第１の測定ユニットから前記電圧データとして送信された複数の前記第１の電圧とに基づいて複数の測定対象電圧を演算する請求項１記載の電圧測定装置。
【請求項３】
前記第２の測定ユニットは、前記測定対象電圧を表示する表示部を備えている請求項１または２記載の電圧測定装置。
【請求項４】
前記表示部は、前記測定対象電圧の大きさをバーグラフで表示可能に構成されている請求項３記載の電圧測定装置。
【請求項５】
前記第２の測定ユニットは、前記測定対象電圧の測定を指示するための測定操作部を備えている請求項１から４のいずれかに記載の電圧測定装置。
【請求項６】
前記各測定ユニットの先端部にそれぞれ収容された電圧検出用の電極を備え、
前記先端部は、前記測定対象体としての電線に当接される当接面が凹状に湾曲する湾曲面に形成されている請求項１から５のいずれかに記載の電圧測定装置。
【請求項７】
前記各測定ユニットの少なくとも一方に配設されて、当該測定ユニットの前方を照明する照明部を備えている請求項１から６のいずれかに記載の電圧測定装置。
【請求項８】
前記各測定ユニットを把持する把持部の先端部位に取り付けられた鍔部を備えている請求項１から７のいずれかに記載の電圧測定装置。
【請求項９】
前記測定対象電圧の大きさを識別可能な態様で音を発生する発音部を備えている請求項１から８のいずれかに記載の電圧測定装置。
【請求項１０】
所定の確度での前記測定対象電圧の測定が可能となったときにその旨を報知する報知部を備えている請求項１から９のいずれかに記載の電圧測定装置。
【発明の詳細な説明】
【技術分野】
【０００１】
本発明は、一対の測定対象体の間の測定対象電圧を各測定対象体に非接触で測定する電圧測定装置に関するものである。
【背景技術】
【０００２】
例えば登録実用新案第３００５５７９号公報には、測定対象体に対して非接触で電圧を測定可能に構成された検電器が開示されている。この場合、この種の検電器では、測定者の体（検電器を把持する手）が大地とほぼ同電位であることを利用して、検電器の本体ケースを介して基準電位を大地に接続した状態において、測定対象体と大地との間の対地電圧を測定する構成が採用されている。したがって、この種の検電器では、アース線等が不要となっている分だけ取り扱いが容易であるものの、対地電圧以外の電圧を測定することができないという欠点が存在する。
【０００３】
一方、特開２００２−５５１２６号公報には、２つの電線の間の線間電圧を測定可能に構成された非接触電圧計が開示されている。この場合、同公報における他の実施形態に開示されている非接触電圧計は、一対の計測手段を備えると共に、各計測手段が増幅手段およびノイズ除去手段を介して演算手段にそれぞれ電気的に接続されている。また、この非接触電圧計では、２つの電線における電線被覆の周囲に配設されて信号ケーブルを介して各計測手段にそれぞれ接続された導電体（検出電極）を備え、各計測手段が各導電体と各電線の導電線との間の静電容量に基づいて各導電体と接地との間の電流経路に流れる電流をそれぞれ計測する。また、各増幅手段が、計測された電流値に対応する信号をそれぞれ増幅し、各ノイズ除去手段が、増幅された各信号中のノイズ成分を除去する。さらに、演算手段が、ノイズ除去後の信号（各計測手段によって計測された電流値に対応する信号）を演算処理して、２つの電線の間の電圧を演算する。これにより、対地電圧以外の電圧（この例では、線間電圧）が測定される。
【先行技術文献】
【特許文献】
【０００４】
【特許文献１】登録実用新案第３００５５７９号公報（第２−５頁、第１図）
【特許文献２】特開２００２−５５１２６号公報（第４−５頁、第５図）
【発明の概要】
【発明が解決しようとする課題】
【０００５】
ところが、従来の非接触電圧計には、以下の問題点がある。すなわち、従来の非接触電圧計では、一対の計測手段を備えると共に、信号ケーブルを介して各計測手段にそれぞれ接続された導電体（検出電極）を備えて電線に非接触で線間電圧を測定する構成が採用されている。この場合、この種の非接触電圧計の使用に際しては、電圧を測定する一対の測定対象体（上記の例では、２つの電線）が近距離に位置しているとは限らず、両測定対象体が相互に大きく離間していることがある。しかしながら、この種の非接触電圧計では、一般的には、検出電極と計測部とを接続する信号ケーブルの長さが数十ｃｍから２ｍ程度の範囲内の長さとなっている。このため、電圧計の本体部に対して２本の信号ケーブルを相反する方向に引き出したとしても、両検出電極を数ｍ程度しか離間させることができず、従来の非接触電圧計には、互いに大きく離間した測定対象体の間の電圧を測定することができないという問題点がある。
【０００６】
この場合、検出電極と計測手段とを接続する信号ケーブルを十分に長くすることで、ある程度離間している測定対象体についても電圧を測定することが可能となる。しかしながら、長尺の信号ケーブルを用いて検出電極と計測手段とを接続する構成を採用した場合には、電圧計の携行に際して長尺の信号ケーブルが邪魔になるだけなく、極く近距離に位置している測定対象体間の電圧の測定に際しても不要に長い信号ケーブルが測定作業の邪魔になる。また、測定作業の完了後に電圧計を片付ける際に２本の長尺の信号ケーブルが互いに絡み合い、次回の測定処理に際して、絡み合った信号ケーブルを解す煩雑な作業が必要となることもある。したがって、検出電極と計測手段とを長尺の信号ケーブルで接続する構成を採用した場合には、大きく離間した測定対象体の間の電圧を測定することが可能となるものの、電圧計の取り扱いが非常に煩雑になるという問題が生じる。
【０００７】
本発明は、かかる問題点に鑑みてなされたものであり、取り扱いが容易で、しかも、大きく離間した測定対象体の間の電圧を測定し得る非接触型の電圧測定装置を提供することを主目的とする。
【課題を解決するための手段】
【０００８】
上記目的を達成すべく請求項１記載の電圧測定装置は、一対の測定対象体の間の測定対象電圧を測定する電圧測定装置であって、前記各測定対象体の一方と基準電位との間の第１の電圧を当該一方の測定対象体に対して非接触で測定する第１の測定ユニット、および前記各測定対象体の他方と基準電位との間の第２の電圧を当該他方の測定対象体に対して非接触で測定する第２の測定ユニットを備え、前記第１の測定ユニットは、測定した前記第１の電圧の電圧データを前記第２の測定ユニットに送信する第１の無線通信部を備え、前記第２の測定ユニットは、前記電圧データを受信する第２の無線通信部と、前記第２の電圧、および前記電圧データに基づいて特定した前記第１の電圧の差分電圧を前記測定対象電圧として演算する演算部とを備えている。
【０００９】
また、請求項２記載の電圧測定装置は、請求項１記載の電圧測定装置において、前記第１の測定ユニットを複数備え、前記演算部は、前記第２の電圧と、前記各第１の測定ユニットによって測定されて当該各第１の測定ユニットから前記電圧データとして送信された複数の前記第１の電圧とに基づいて複数の測定対象電圧を演算する。
【００１０】
また、請求項３記載の電圧測定装置は、請求項１または２記載の電圧測定装置において、前記第２の測定ユニットが、前記測定対象電圧を表示する表示部を備えている。
【００１１】
また、請求項４記載の電圧測定装置は、請求項３記載の電圧測定装置において、前記表示部が、前記測定対象電圧の大きさをバーグラフで表示可能に構成されている。
【００１２】
また、請求項５記載の電圧測定装置は、請求項１から４のいずれかに記載の電圧測定装置において、前記第２の測定ユニットが、前記測定対象電圧の測定を指示するための測定操作部を備えている。
【００１３】
また、請求項６記載の電圧測定装置は、請求項１から５のいずれかに記載の電圧測定装置において、前記各測定ユニットの先端部にそれぞれ収容された電圧検出用の電極を備え、前記先端部が、前記測定対象体としての電線に当接される当接面が凹状に湾曲する湾曲面に形成されている。
【００１４】
また、請求項７記載の電圧測定装置は、請求項１から６のいずれかに記載の電圧測定装置において、前記各測定ユニットの少なくとも一方に配設されて、当該測定ユニットの前方を照明する照明部を備えている。
【００１５】
また、請求項８記載の電圧測定装置は、請求項１から７のいずれかに記載の電圧測定装置において、前記各測定ユニットを把持する把持部の先端部位に取り付けられた鍔部を備えている。
【００１６】
また、請求項９記載の電圧測定装置は、請求項１から８のいずれかに記載の電圧測定装置において、前記測定対象電圧の大きさを識別可能な態様で音を発生する発音部を備えている。
【００１７】
また、請求項１０記載の電圧測定装置は、請求項１から９のいずれかに記載の電圧測定装置において、所定の確度での前記測定対象電圧の測定が可能となったときにその旨を報知する報知部を備えている。
【発明の効果】
【００１８】
請求項１記載の電圧測定装置によれば、測定した第１の電圧の電圧データを第２の測定ユニットに送信する第１の無線通信部を備えて第１の測定ユニットを構成すると共に、電圧データを受信する第２の無線通信部と、第２の電圧、および電圧データに基づいて特定した第１の電圧の差分電圧を測定対象電圧として演算する演算部とを備えて第２の測定ユニットを構成したことにより、検出電極が信号ケーブルを介して各計測手段に接続された従来の非接触電圧計とは異なり、一対の測定対象体が大きく離間している場合であっても、両無線通信部が無線通信可能な距離範囲内であれば、その測定対象電圧を確実に測定することができる。また、不要に長い信号ケーブルを必要としないため、電圧測定装置を十分に容易に取り扱うことができる。
【００１９】
また、請求項２記載の電圧測定装置によれば、第１の測定ユニットを複数備えると共に第２の測定ユニットにおける演算部が、第２の電圧と、各第１の測定ユニットによって測定されて各第１の測定ユニットから電圧データとして送信された複数の第１の電圧とに基づいて複数の測定対象電圧を順次演算する構成を採用したことにより、複数の測定対象電圧を容易に測定することができる。
【００２０】
また、請求項３記載の電圧測定装置によれば、測定対象電圧を表示する表示部を第２の測定ユニットに配設したことにより、第１の測定ユニットおよび第２の測定ユニットとは別個に測定対象電圧を表示させるための表示装置（表示部）を設ける構成とは異なり、両測定ユニットだけを持ったまま、測定対象電圧の測定作業から測定対象電圧の表示までの一連の処理を完結させることができる。また、両測定ユニットとは別個に表示装置を設けたり、第１の測定ユニットに表示部を設けたりした場合には、演算部が演算した測定対象電圧の値を第２の測定ユニットから表示装置または第１の測定ユニットに送信する必要が生じるのに対し、この電圧測定装置によれば、演算部が演算した測定対象電圧の値を第２の測定ユニット内において直ちに表示部に表示させることができるため、測定結果の送信に不要な電力を消費することなく、かつ迅速に測定対象電圧を表示させることができる。
【００２１】
また、請求項４記載の電圧測定装置によれば、測定対象電圧の大きさをバーグラフで表示可能に表示部を構成したことにより、測定対象電圧の値をバーグラフによって直感的に認識させることができる。
【００２２】
また、請求項５記載の電圧測定装置によれば、測定対象電圧の測定を指示するための測定操作部を第２の測定ユニットに配設したことにより、第１の測定ユニットおよび第２の測定ユニットとは別個の装置に測定操作部を設ける構成とは異なり、両測定ユニットだけを持ったまま、測定対象電圧の測定処理を開始させることができる。また、第１の測定ユニットおよび第２の測定ユニットとは別個の装置に測定操作部を設ける構成や、第１の測定ユニットに測定操作部を設ける構成とは異なり、測定操作部の操作信号を第２の測定ユニットに送信する処理が不要となる分だけ、測定操作部の操作から演算部による測定対象電圧の演算までに要する時間を十分に短縮することができる。
【００２３】
また、請求項６記載の電圧測定装置によれば、各測定ユニットにおける先端部の当接面を凹状に湾曲する湾曲面に形成したことにより、一対の測定対象体としての２本の電線についての線間電圧を測定対象電圧として測定するときに、当接面の全域またはほぼ全域と電線の外周面とを面的に当接させることができるため、先端部と電線との位置ずれを防止することができる。
【００２４】
また、請求項７記載の電圧測定装置によれば、各測定ユニットの少なくとも一方に照明部を配設したことにより、例えば、測定対象体が物陰に存在していたり、測定現場の照度が低い場合であっても、測定ユニットの先端部の前方、つまり測定対象体を照明することができため、測定作業を安全かつ容易に行うことができる。
【００２５】
また、請求項８記載の電圧測定装置によれば、各測定ユニットにおける把持部の先端部位に鍔部を取り付けたことにより、例えば、測定対象体の近傍に高圧線が配設されている測定現場において、測定ユニットを把持している手が測定中に滑ったとしても、高圧線に手が接触する事態を確実に防止することができる。
【００２６】
また、請求項９記載の電圧測定装置によれば、測定対象電圧の大きさを識別可能な態様で音を発生する発音部を備えたことにより、例えば、電線が狭い場所に存在していたり、測定対象体の近傍に障害物が存在していたりして、表示部を視認するのが困難な場合であっても、測定対象電圧の値を確実に認識させることができる。
【００２７】
また、請求項１０記載の電圧測定装置によれば、所定の確度での測定対象電圧の測定が可能となったときにその旨を報知する報知部を備えたことにより、測定対象電圧のより正確な測定を行うことができる。
【図面の簡単な説明】
【００２８】
【図１】線間電圧測定装置１の構成を示すブロック図である。
【図２】線間電圧測定装置１の外観斜視図である。
【図３】測定ユニット５２の外観斜視図である。
【図４】鍔部７１ｂを取り付けた状態の測定ユニット２の外観斜視図である。
【図５】線間電圧Ｖｄの値の表示態様を説明するための第１の説明図である。
【図６】線間電圧Ｖｄの値の表示態様を説明するための第２の説明図である。
【図７】線間電圧Ｖｄの値の表示態様を説明するための第３の説明図である。
【発明を実施するための形態】
【００２９】
以下、本発明に係る電圧測定装置の実施の形態について、添付図面を参照して説明する。
【００３０】
最初に、線間電圧測定装置１の構成について説明する。図１に示す線間電圧測定装置１は、本発明に係る非接触型の電圧測定装置の一例であって、本発明における測定対象体の一例である２つの電線（例えば、同図に示す被覆電線１００ａ，１００ｂ（以下、区別しないときには「被覆電線１００」ともいう））の間の線間電圧Ｖｄを被覆電線１００に対して非接触で測定可能に構成されている。具体的には、図１，２に示すように、線間電圧測定装置１は、一対の測定ユニット２ａ，２ｂ（以下、区別しないときには「測定ユニット２」ともいう）を備えて構成されている。
【００３１】
測定ユニット２ａは、本発明における第１の測定ユニットの一例であって、図１に示すように、検出部４ａ、測定部５ａ、ランプ６ａ、通信部７ａ（本発明における「第１の無線通信部」の一例）、操作部８ａ、制御部１０ａおよびバッテリ１１がケース本体３ａ（図２参照）に配設されて構成されている。この測定ユニット２ａは、片手で保持可能な（大きさや重さが片手で保持可能に規定された）全体として円柱状に構成されている。また、図２に示すように、測定ユニット２ａの先端部２２（同図における上端部）は、測定時において被覆電線１００に当接される当接面が凹状に湾曲する湾曲面に形成されている。
【００３２】
一方、測定ユニット２ｂは、本発明における第２の測定ユニットの一例であって、図１に示すように、検出部４ｂ、測定部５ｂ、ランプ６ｂ、通信部７ｂ（本発明における「第２の無線通信部」の一例）、操作部８ｂ、表示部９、制御部１０ｂおよびバッテリ１１がケース本体３ｂ（図２参照）に配設されて構成されている。この測定ユニット２ｂは、上記の測定ユニット２ａと同様にして、片手で保持可能な（大きさや重さが片手で保持可能に規定された）全体として円柱状に構成されている。また、図２に示すように、測定ユニット２ｂの先端部２２（同図における上端部）は、上記の測定ユニット２ａと同様にして、測定時において被覆電線１００に当接される当接面が凹状に湾曲する湾曲面に形成されている。
【００３３】
なお、検出部４ａおよび検出部４ｂ、測定部５ａおよび測定部５ｂ、ランプ６ａおよびランプ６ｂ、通信部７ａおよび通信部７ｂは、互いに同じ機能を有している。したがって、以下の説明において、検出部４ａ，４ｂを区別しないときには単に「検出部４」ともいい、測定部５ａ，５ｂを区別しないときには単に「測定部５」ともいい、ランプ６ａ，６ｂを区別しないときには単に「ランプ６」ともいい、通信部７ａ，７ｂを区別しないときには単に「通信部７」ともいう。
【００３４】
検出部４は、例えば、図１に示す検出電極１４（本発明における電極）、並びに図示しない可変容量回路、電流検出回路および増幅回路を備えて構成されている。この検出部４は、被覆電線１００との間の静電容量に基づき、被覆電線１００に供給されている交流電圧を、一例として、特開２００７−１３２９２６号公報において出願人が開示した公知の検出方法によって検出して、検出信号Ｓｄａ，Ｓｄｂ（以下、区別しないときには「検出信号Ｓｄ」ともいう）を出力する。この場合、検出電極１４は、測定ユニット２ａ，２ｂの先端部２２に収容されている。
【００３５】
測定部５は、検出部４から出力された検出信号Ｓｄと基準電位（一例として、測定ユニット２ａ，２ｂのグランド電位。正確には、測定ユニット２ａ，２ｂを持っている測定者の人体を介して測定ユニット２ａ，２ｂのグランド電位に接続される大地電位）とに基づいて被覆電線１００に供給されている交流電圧（具体的には、被覆電線１００とグランド電位との間の電圧：本発明における「第１の電圧」および「第２の電圧」）の値を、例えば、上記の公開公報において出願人が開示した公知の測定方法によって測定して、その測定値についての電圧データＤｖａ，Ｄｖｂ（以下、区別しないときには「電圧データＤｖ」ともいう）を生成して出力する。ランプ６は、本発明における照明部に相当し、図２に示すように、ケース本体３ａ，３ｂの先端部２２の側にそれぞれ配設されて、後述するように、制御部１０ａ，１０ｂの制御に従って点灯させられて測定ユニット２ａ，２ｂの前方をそれぞれ照明する。
【００３６】
通信部７は、後述するようにして、制御部１０ａ，１０ｂの制御に従い、制御信号Ｓ１の送受信や、電圧データＤｖａの送受信を実行する。この場合、この線間電圧測定装置１では、両測定ユニット２ａ，２ｂのケース本体３ａ，３ｂにおける基端部２１（図２参照）に通信部７のアンテナが収容されている。なお、この線間電圧測定装置１では、一例として特定小電力無線の規格に準じて両通信部７が無線通信可能に構成されている。なお、本発明における無線通信部の構成は上記の例に限定されるものではなく、例えば、ブルートゥース規格やＩｒＤＡ規格等の公知の無線通信規格に準じて無線通信を実行する構成を採用することができる。
【００３７】
操作部８ａは、図２に示すように、ケース本体３ａに配設された電源スイッチ３１を備えて構成されている。一方、操作部８ｂは、ケース本体３ｂに配設された電源スイッチ３１、測定ボタン３２（本発明における測定操作部）および照明ボタン３３を備えて構成されている。この場合、電源スイッチ３１が操作されたときには、測定ユニット２ａ，２ｂの各構成要素にバッテリ１１からの電力がそれぞれ供給される。また、測定ボタン３２が操作されたときには、後述するようにして、制御部１０ａの制御下で線間電圧Ｖｄの測定処理が開始される。さらに、照明ボタン３３が操作されたときには、後述するようにして、測定ユニット２ａ，２ｂの双方においてランプ６に対する電力の供給開始および供給停止が行われる。表示部９は、例えば、液晶ディスプレイで構成されて、図２に示すように、ケース本体３ｂの中央部２３に配設されている。
【００３８】
制御部１０ａは、測定ユニット２ｂの制御部１０ｂから送信された制御信号Ｓ１に従い、測定部５ａによる電圧データＤｖａの測定処理やランプ６ａの点灯・消灯を制御する。また、制御部１０ａは、測定部５ａから出力された電圧データＤｖａを通信部７ａから測定ユニット２ｂに送信させる。一方、制御部１０ｂは、操作部８ｂのスイッチ操作に応じて、通信部７ｂから測定ユニット２ａに各種の制御信号Ｓ１を送信させると共に、測定部５ｂによる電圧の測定処理やランプ６ｂの点灯・消灯を制御する。また、制御部１０ｂは、本発明における演算部に相当し、測定部５ｂから出力された電圧データＤｖｂ、および測定ユニット２ａから送信された電圧データＤｖａに基づいて特定される（つまり、各測定ユニット２ａ，２ｂによって検出された）２つの被覆電線１００ａ，１００ｂの各電圧（被覆電線１００ａとグランド電位との間の電圧、および被覆電線１００ｂとグランド電位との間の電圧）の差分電圧を線間電圧Ｖｄとして測定（演算）する。さらに、制御部１０ｂは、演算した線間電圧Ｖｄの値を表示部９に表示させる。
【００３９】
次に、線間電圧測定装置１を用いて測定対象体としての被覆電線１００ａ，１００ｂの間の線間電圧Ｖｄを測定する方法について、図面を参照して説明する。
【００４０】
まず、測定ユニット２ａ，２ｂの双方において電源スイッチ３１を操作する。この際には、バッテリ１１からの電力が、測定ユニット２ａおよび測定ユニット２ｂの各構成要素にそれぞれ供給される。次いで、各々の中央部２３（本発明における把持部：図２参照）を把持して測定ユニット２ａ，２ｂを両手で１つずつ保持し、その状態で、各々の先端部２２の当接面を被覆電線１００ａ，１００ｂにそれぞれ当接させる。この場合、先端部２２の当接面が凹状に湾曲する湾曲面に形成されているため、当接面の全域またはほぼ全域と被覆電線１００の外周面とが面的に当接する結果、先端部２２と被覆電線１００との位置ずれが防止される。
【００４１】
続いて、測定ユニット２ｂの操作部８ｂにおける測定ボタン３２を操作する。この際には、制御部１０ｂが、測定処理の開始を指示する制御信号Ｓ１を通信部７ｂから測定ユニット２ａに送信させると共に、測定部５ｂを制御して電圧データＤｖｂの測定処理を開始させる。一方、測定ユニット２ａでは、制御部１０ａが、通信部７ａを介して測定ユニット２ｂ（制御部１０ｂ）からの制御信号Ｓ１を受信し、測定部５ａを制御して電圧データＤｖａの測定処理を開始させる。この際に、各測定ユニット２ａ，２ｂでは、検出部４が、被覆電線１００との間の静電容量に基づいて被覆電線１００に供給されている交流電圧を検出して検出信号Ｓｄを測定部５にそれぞれ出力する。また、測定部５が、検出部４から出力された検出信号Ｓｄおよびグランド電位に基づいて各被覆電線１００ａ，１００ｂに供給されている交流電圧（被覆電線１００ａとグランド電位との間の電圧、および被覆電線１００ｂとグランド電位との間の電圧）の値を測定して、その測定値についての電圧データＤｖをそれぞれ出力する。
【００４２】
この際に、測定ユニット２ａでは、制御部１０ａが、測定部５ａから出力された電圧データＤｖａを通信部７ａから測定ユニット２ｂに送信させる。一方、測定ユニット２ｂでは、制御部１０ｂが、通信部７ｂを介して受信した電圧データＤｖａによって特定される（つまり、測定ユニット２ａによって検出された）被覆電線１００ａの電圧（被覆電線１００ａとグランド電位との間の電圧）と、測定部５ｂから出力された電圧データＤｖｂによって特定される（つまり、測定ユニット２ｂによって検出された）被覆電線１００ｂの電圧（被覆電線１００ｂとグランド電位との間の電圧）との差分電圧を線間電圧Ｖｄとして演算（測定）する。続いて、制御部１０ｂは、図２に示すように、測定した線間電圧Ｖｄの値を示す数字（この例では、「１９８．５ｖ」との文字列）を表示部９に表示させる。
【００４３】
この場合、この線間電圧測定装置１では、測定ユニット２ｂの制御部１０ｂが測定ユニット２ａから無線通信によって送信された電圧データＤｖａと測定ユニット２ｂにおいて検出された（測定された）電圧データＤｖｂとに基づいて線間電圧Ｖｄを演算する（測定する）構成が採用されている。したがって、上記の例における被覆電線１００ａ，１００ｂが例えば数十ｍ程度離れている場合であっても、例えば、２人の測定者のうちの一方が測定ユニット２ａを把持して被覆電線１００ａに当接させ、他方の測定者が測定ユニット２ａを把持して被覆電線１００ａに当接させることで、大きく離間した被覆電線１００ａ，１００ｂの間の線間電圧Ｖｄを確実かつ容易に測定することが可能となっている。なお、上記の測定ユニット２ａにおける先端部２２側にクランプ機構（図示せず）を設けて測定ユニット２ａによって被覆電線１００ａをクランプさせる構成を採用することにより、１人の測定者であっても、大きく離間した被覆電線１００ａ，１００ｂの間の線間電圧Ｖｄを確実かつ容易に測定することが可能となる。
【００４４】
また、例えば、測定対象体の被覆電線１００ａ，１００ｂが物陰に存在していたり、測定現場の照度が低いことに起因して、被覆電線１００ａ，１００ｂを視認することが困難なときには、測定ユニット２ｂの操作部８ｂにおける照明ボタン３３を操作する。この際に、制御部１０ｂは、バッテリ１１からの電力の供給によってランプ６ｂを点灯させると共に、ランプ６ａを点灯させる旨を指示する制御信号Ｓ１を通信部７ｂから測定ユニット２ａに送信させる。これに応じて、測定ユニット２ａでは、制御部１０ａがランプ６ａを点灯させる。これにより、測定ユニット２ａ，２ｂの先端部２２の前方、つまり測定対象体の被覆電線１００ａ，１００ｂが照明される。このため、測定ユニット２ａ，２ｂの先端部２２を当接させるべき部位を確実に視認させることができる結果、測定作業を安全かつ容易に行うことが可能となる。
【００４５】
さらに、この線間電圧測定装置１では、各測定ユニット２ａ，２ｂが片手で保持可能に構成されると共に、操作部８ａ，８ｂや表示部９を含む線間電圧測定装置１を構成する全ての構成要素が各測定ユニット２ａ，２ｂのいずれかに収容または配設されて構成されている。このため、本体部と検出電極とが別体に構成されて信号ケーブルを介して相互に接続されている従来の電圧測定装置とは異なり、被覆電線１００ａ，１００ｂに当接させた測定ユニット２ａ，２ｂの先端部２２から目を離すことなく、電源スイッチ３１、測定ボタン３２および照明ボタン３３の操作や、表示部９に表示された線間電圧Ｖｄの値の読み取りを行うことが可能となっている。この結果、測定ユニット２ａ，２ｂの先端部２２から目を離すことに起因して、例えば、被覆電線１００ａ，１００ｂの付近に高圧線が配線されているときに、この高圧線に先端部２２が接触する危険性を十分に低減する（つまり安全に測定作業を行う）ことが可能となっている。また、狭い測定現場において測定を行う際においても、本体部を肩や首に掛けての無理な体勢での測定を余儀なくされることがないため、測定を容易に行うことが可能となっている。また、測定ユニット２ａ，２ｂの先端部２２から目を離したり、無理な体勢で測定を行ったりすることを避けることができるため、測定ユニット２ａ，２ｂの先端部２２が被覆電線１００ａ，１００ｂから離反して正確な測定が困難となる事態を防止することも可能となっている。
【００４６】
このように、この線間電圧測定装置１によれば、測定した電圧（第１の電圧）の電圧データＤｖａを測定ユニット２ｂに送信する通信部７ａを備えて本発明における第１の測定ユニットに相当する測定ユニット２ａを構成すると共に、電圧データＤｖａを受信する通信部７ｂと、電圧データＤｖｂに基づいて特定した電圧、および電圧データＤｖｂに基づいて特定した電圧の差分電圧を線間電圧Ｖｄ（測定対象電圧）として演算する制御部１０ａとを備えて本発明における第２の測定ユニットに相当する測定ユニット２ｂを構成したことにより、検出電極が信号ケーブルを介して各計測手段に接続された従来の非接触電圧計とは異なり、一対の測定対象体が大きく離間している場合であっても、両通信部７ａ，７ｂが無線通信可能な距離範囲内であれば、その測定対象電圧を確実に測定することができる。また、不要に長い信号ケーブルを必要としないため、線間電圧測定装置１を十分に容易に取り扱うことができる。
【００４７】
また、この線間電圧測定装置１によれば、線間電圧Ｖｄを表示する表示部９を測定ユニット２ｂに配設したことにより、測定ユニット２ａ，２ｂとは別個に線間電圧Ｖｄ（測定対象電圧）を表示させるための表示装置（表示部：図示せず）を設ける構成とは異なり、両測定ユニット２ａ，２ｂだけを持ったまま、線間電圧Ｖｄの測定作業から線間電圧Ｖｄの表示までの一連の処理を完結させることができる。また、両測定ユニット２ａ，２ｂとは別個に表示装置を設けたり、測定ユニット２ａに表示部を設けたりした場合には、制御部１０ｂが演算した線間電圧Ｖｄ（測定対象電圧）の値を測定ユニット２ｂから表示装置または測定ユニット２ａに送信する必要が生じるのに対し、この線間電圧測定装置１によれば、制御部１０ｂが演算した線間電圧Ｖｄの値を測定ユニット２ｂ内において直ちに表示部９に表示させることができるため、測定結果の送信に不要な電力を消費することなく、かつ迅速に線間電圧Ｖｄを表示させることができる。
【００４８】
また、この線間電圧測定装置１によれば、線間電圧Ｖｄの測定を指示するための操作部８ｂ（測定ボタン３２）を測定ユニット２ｂに配設したことにより、測定ユニット２ａ，２ｂとは別個の装置（図示せず）に本発明における測定操作部を設ける構成とは異なり、両測定ユニット２ａ，２ｂだけを持ったまま、線間電圧Ｖｄの測定処理を開始させることができる。また、測定ユニット２ａ，２ｂとは別個の装置に測定ボタン３２を設ける構成や、測定ユニット２ａに測定ボタン３２を設ける構成とは異なり、測定ボタン３２の操作信号を測定ユニット２ｂ（制御部１０ｂ）に送信する処理が不要となる分だけ、測定操作部の操作（測定ボタン３２）から制御部１０ｂによる線間電圧Ｖｄの演算までに要する時間を十分に短縮することができる。
【００４９】
さらに、この線間電圧測定装置１によれば、各測定ユニット２ａ，２ｂにおける先端部２２の当接面を凹状に湾曲する湾曲面に形成したことにより、一対の測定対象体としての２本の被覆電線１００ａ，１００ｂについての線間電圧Ｖｄを本発明における測定対象電圧として測定するときに、当接面の全域またはほぼ全域と被覆電線１００ａ，１００ｂの外周面とを面的に当接させることができるため、先端部２２と被覆電線１００ａ，１００ｂとの位置ずれを防止することができる。
【００５０】
また、この線間電圧測定装置１によれば、各測定ユニット２ａ，２ｂの少なくとも一方（この例では、双方）にランプ６を配設したことにより、例えば、被覆電線１００ａ，１００ｂが物陰に存在していたり、測定現場の照度が低い場合であっても、測定ユニット２ａ，２ｂの先端部２２の前方、つまり被覆電線１００ａ，１００ｂ測定対象体を照明することができため、測定作業を安全かつ容易に行うことができる。
【００５１】
なお、本発明は、上記した構成に限定されない。例えば、測定ユニット２ａ，２ｂを全体として円柱状に構成した例について上記したが、本発明における第１の測定ユニットおよび第２の測定ユニットの形状はこれに限定されず、片手で保持可能な任意の形状に構成することができる。一例として、図３に示すように、把持部６３（同図における左側部分）と、検出部４や表示部９が収容（配設）された先端部６２側の部分（同図における右側部分）とが所定の角度をなす形状（ガンタイプ）に構成した測定ユニット５２を採用することができる。なお、以下、上記した測定ユニット２ａ，２ｂと同じ機能を有する構成要素には同一の符号を付して重複した説明を省略する。
【００５２】
また、図３，４に示すように、測定ユニット５２における把持部６３の先端部位（または、測定ユニット２における中央部２３（把持部）の先端部位）に鍔部７１ａ（または鍔部７１ｂ）を取り付けた構成を採用することもできる。この構成によれば、この鍔部７１ａ，７１ｂを取り付けたことで、例えば、測定対象体の被覆電線１００の近傍に高圧線が配設されている測定現場において、測定ユニット５２や測定ユニット２を把持している手が測定中に滑ったとしても、高圧線に手が接触する事態を確実に防止することができる。
【００５３】
また、発音部を設けて、線間電圧Ｖｄの大きさを識別可能な音をその発音部から発生させる構成を採用することもできる。この場合、音の発生の態様としては、例えば、線間電圧Ｖｄが大きいほどブザー音を大きく、線間電圧Ｖｄが小さいほどブザー音を小さく発生させる構成を採用することもできるし、線間電圧Ｖｄの値を言葉で音声案内する構成を採用することもできる。この構成によれば、例えば、被覆電線１００ａ，１００ｂが狭い場所に存在していたり、被覆電線１００の近傍に障害物が存在していたりして、表示部９を視認するのが困難な場合であっても、線間電圧Ｖｄの値を確実に認識することができる。
【００５４】
さらに、所定の確度（測定値が真の値にどれだけ近いかを表すパラメータ）が確保される測定値の範囲として規定された測定可能範囲内であるか否かを判別する判別部を設けて、測定値が測定可能範囲内であると判別部によって判別されたときに、測定した線間電圧Ｖｄがその測定可能範囲であるか否かを、文字表示、音声出力およびランプ点灯などで報知する構成を採用することもできる。この構成によれば、線間電圧Ｖｄが測定可能範囲である旨が報知された時点で線間電圧Ｖｄを表示させる（または、表示されている線間電圧Ｖｄの値をその報知時点で読み取る）ことで、線間電圧Ｖｄのより正確な測定を行うことができる。
【００５５】
また、線間電圧Ｖｄの値を示す数字を表示部９に表示させる例について上記したが、図５に示すように、その長さで線間電圧Ｖｄの値の大小を示すバーグラフを表示部９に表示させることもできる。また、図６に示すように、バーグラフおよび数字の双方を表示部９に表示させることもできる。この場合、図７に示すように、表示部９とは別の表示部９ａを設けて、数字およびバーグラフの双方を２つの表示部９，９ａに別々に表示させる構成を採用することもできる。この構成によれば、線間電圧Ｖｄの値をバーグラフによって直感的に認識させることができる。
【００５６】
さらに、測定ユニット２ａ，２ｂの２つを備えて構成された線間電圧測定装置１を例に挙げて説明したが、本発明に係る電圧測定装置の構成はこれに限定されない。例えば、上記の測定ユニット２ａ，２ｂの他に、１台または複数台の測定ユニット２ａを備えて線間電圧測定装置１を構成することができる。具体的には、複数台の測定ユニット２ａと、少なくとも１台の測定ユニット２ｂを組み合わせて線間電圧測定装置１を構成することにより、操作部８ｂ、表示部９および制御部１０ｂを備えている測定ユニット２ｂ（本発明における第２の測定ユニット）に対して各測定ユニット２ａ（本発明における第１の測定ユニット）を順次切り替えて無線接続して各種の測定対象電圧を測定することができる。
【００５７】
この場合、一対の測定ユニット２ａ，２ｂだけで１つの測定対象体（以下、「測定対象体Ａ」ともいう）と、他の複数の測定対象体（以下、一例として「測定対象体Ｂ」および「測定対象体Ｃ」ともいう）との間の測定対象電圧をそれぞれ測定するときには、測定対象体Ａ，Ｂ間の測定対象電圧の測定が完了した後に、例えば測定ユニット２ａを測定対象体Ｂから外して測定対象体Ｃに押し当てて測定対象電圧の測定を実施する必要がある。一方、例えば、１台の測定ユニット２ｂと、複数台の測定ユニット２ａとで構成した線間電圧測定装置１では、測定対象体Ａに測定ユニット２ｂを押し当て、測定対象体Ｂ，Ｃに２台の測定ユニット２ａを押し当てておくことで、測定ユニット２ｂの側で、上記の電圧データＤｖａを受信する測定ユニット２ａを適宜選択するだけで、測定対象体Ａ，Ｂ間の測定対象電圧、および測定対象体Ａ，Ｃ間の測定対象電圧を順次測定することができる。したがって、このような構成を採用することにより、複数の測定対象電圧を容易に測定することができる。この場合、複数の測定ユニット２ａを測定対象体Ｂ，Ｃ等に押し当てた状態を維持するために、測定ユニット２ａ（本発明における第１の測定ユニット）については、先端部２２にクランプ機構（図示せず）を設けて、測定者が支えることなく、検出部４を測定対象体に押し付けた状態を維持することができるように構成するのが好ましい。
【００５８】
また、測定ボタン３２を有する操作部８ｂや、線間電圧Ｖｄの値を表示する表示部９を測定ユニット２ｂ（本発明における第２の測定ユニット）に配設した例について説明したが、本発明に係る電圧測定装置の構成はこれに限定されず、測定ユニット２ａ（本発明における第１の測定ユニット）や、測定ユニット２ａ，２ｂとは別個の装置に測定ボタン３２や表示部９を配設することもできる。さらに、測定ユニット２ａ，２ｂの双方にランプ６を設けた例について説明したが、測定ユニット２ａ，２ｂのいずれか一方だけにランプ６を配設してもよい。加えて、本発明における測定対象電圧として被覆電線１００ａ，１００ｂの線間電圧を測定する線間電圧測定装置１に本発明を適用した例について説明したが、線間電圧以外の各種電圧（例えば、測定対象機器のグランド電位と各電源ケーブルとの間の電位）を測定対象電圧として測定する電圧測定装置に本発明を適用することもできる。
【符号の説明】
【００５９】
１  線間電圧測定装置
２ａ，２ｂ，５２  測定ユニット
４ａ，４ｂ  検出部
５ａ，５ｂ  測定部
６ａ，６ｂ  ランプ
７ａ，７ｂ  通信部
８ａ，８ｂ  操作部
９，９ａ  表示部
１０ａ，１０ｂ  制御部
１４  検出電極
２２，６２  先端部
３２  測定ボタン
６３  把持部
７１ａ，７１ｂ  鍔部
１００ａ，１００ｂ  被覆電線
Ｄｖａ，Ｄｖｂ  電圧データ
Ｓ１  制御信号
Ｓｄａ，Ｓｄｂ  検出信号
Ｖｄ  線間電圧
【図１】
2010175412.tif 000003
【図２】
2010175412.tif 000004
【図３】
2010175412.tif 000005
【図４】
2010175412.tif 000006
【図５】
2010175412.tif 000007
【図６】
2010175412.tif 000008
【図７】
2010175412.tif 000009